【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
デジタルビデオブロードキャストサービスの第１のフレームを受信するための手段を有するゲートウェイであって、
タイム・スライシングを表すデータを判定するための手段と、
前記第１のサービスフレームのそれぞれを、タイム・スライスを表す前記データを含む第２のフレームにカプセル化するための手段と、
無線ローカルエリアネットワークで各第２のフレームをデジタルオーディオ／ビデオ端末に送信するための手段と
を備えることを特徴とするゲートウェイ。
【請求項２】
前記ゲートウェイはセッション記述プロトコルに従って各第２のフレームにタイム・スライスを表すデータを挿入するための手段を備えることを特徴とする請求項１に記載のゲートウェイ。
【請求項３】
前記セッション記述プロトコルはＳＡＰ−ＳＤＰ型であることを特徴とする請求項２に記載のゲートウェイ。
【請求項４】
デジタルビデオブロードキャストサービスの前記第１のフレームを受信するための前記手段は有線ネットワークに関連付けられていることを特徴とする請求項１から３のいずれか１項に記載のゲートウェイ。
【請求項５】
デジタルビデオブロードキャストサービスの前記第１のフレームを受信するための前記手段は無線ネットワークに関連付けられていることを特徴とする請求項１から３のいずれか１項に記載のゲートウェイ。
【請求項６】
前記無線ネットワークはＩＥＥＥ  ８０２．１１、Ｈｉｐｅｒｌａｎ、ＩＥＥＥ８０２．１５またはＩＥＥＥ８０２．１６型であることを特徴とする請求項１から５のいずれか１項に記載のゲートウェイ。
【請求項７】
前記ゲートウェイは、前記第２のフレームを受信する端末がリスニングモードのときに各第２のフレームを送信するために前記宛先端末の節電モードを検出するための手段を備えることを特徴とする請求項１から６のいずれか１項に記載のゲートウェイ。
【請求項８】
前記サービスはＤＶＢ−Ｈ型であることを特徴とする請求項１から７のいずれか１項に記載のゲートウェイ。
【請求項９】
各第２のフレームは単一の端末に対応する宛先アドレスを有することを特徴とする請求項１から８のいずれか１項に記載のゲートウェイ。
【請求項１０】
各第２のフレームはいくつかの端末に対応する宛先アドレスを有することを特徴とする請求項１から８のいずれか１項に記載のゲートウェイ。
【請求項１１】
オーディオ／ビデオ端末を判定するための手段と、受信された前記第１のサービスフレームにフィルタ処理を行うための手段とを備え、前記判定された端末の１つを宛先とする前記サービスフレームのみが前記カプセル化手段によってカプセル化されることを特徴とする請求項１から１０のいずれか１項に記載のゲートウェイ。
【請求項１２】
デジタルビデオブロードキャストサービスの前記第１のフレームを受信するための前記手段は長距離無線ブロードキャストネットワークに関連付けられていることを特徴とする請求項１から１１のいずれか１項に記載のゲートウェイ。
【請求項１３】
タイム・スライスを表すデータを含み、無線ローカルエリアネットワークで送信される第２のフレームを受信するための手段と、
前記第２のフレームから第１のサービスフレームを抽出するための手段と
を備えることを特徴とするデジタルオーディオ／ビデオ端末。
【請求項１４】
デジタルビデオブロードキャストサービスの前記第１のフレームを受信するためのステップを含む、デジタルビデオサービスをブロードキャストするための方法であって、
タイム・スライスを表すデータを判定するためのステップと、
前記第１のサービスフレームのそれぞれを、タイム・スライスを表す前記データを含む第２のフレームにカプセル化するステップと、
無線ローカルエリアネットワークで各第２のフレームをデジタルオーディオ／ビデオ端末に送信するステップと
を有することを特徴とする方法。
【請求項１５】
デジタルオーディオ／ビデオを受信するための方法であって、
タイム・スライスを表すデータを有し、無線ローカルエリアネットワークで送信される第２のフレームを受信するステップと、
前記第２のフレームから第１のサービスフレームを抽出するステップと
を有することを特徴とする方法。
【手続補正２】
【補正対象書類名】明細書
【補正対象項目名】０００６
【補正方法】変更
【補正の内容】
【０００６】
ＤＶＢ−Ｈ  ＩＰＥモジュール１１０は、ＵＤＰ／ＩＰ（「ユーザデータグラムプロトコル／ＩＰ」）に基づくＲＴＰ（「リアルタイムプロトコル」）型のプロトコルによってＩＰネットワーク１３からマルチキャストストリーム１６０を受信する。それらストリームの構成に従って、モジュール１１０はそれらストリームを、同じサービスに属するストリームをＭＰＥＧ−ＴＳ（「Ｍｏｔｉｏｎ  Ｐｉｃｔｕｒｅ  Ｅｘｐｅｒｔ  Ｇｒｏｕｐ  −  Ｔｒａｎｓｐｏｒｔ  Ｓｔｒｅａｍ」）ストリームという形式でグループ化することによりバックボーン１１１に送信し、ＤＶＢ−Ｈ規格に従ってそれらストリームに前方エラー修正（ＦＥＣ）情報および信号情報を追加することにより、タイム・スライシングでフレーム１６１にカプセル化する。送信速度は一般的に高く、例えば、１０Ｍビット／秒に達することができる。ＭＰＥＧ−ＴＳストリーム１６１は、バックボーン１１１を介して送信機１１２に送信される。送信機１１２は、次いで、そのＭＰＥＧ−ＴＳストリームをＤＶＢ−Ｈ無線チャネルに沿って端末１０に送信する。端末１０は、次いで、ストリーム１６１内にあるＤＶＢ−Ｈ信号情報を分析し、ＩＰアドレスをＭＰＥＧ−ＴＳアドレスに関連付け、したがって、このアドレスに関連付けられた全ＩＰパケットを読むことができ、初めに送信された種々のストリーム１６０を再構成する。
【手続補正３】
【補正対象書類名】明細書
【補正対象項目名】００３４
【補正方法】変更
【補正の内容】
【００３４】
要求６１を受信した後、ＤＳＬＡＭモジュール２１０は、フレームに含まれる、望ましいストリームのＩＰアドレスに対応するビデオストリームを複製し、それを、例えば、ＡＴＭ／ＡＡＬ５／ＡＤＳＬ型のｘＤＳＬスタック６２の形式でモデム２１２０に送信する。
【手続補正４】
【補正対象書類名】明細書
【補正対象項目名】００３６
【補正方法】変更
【補正の内容】
【００３６】
次に、アクセスポイント２１２１は、図５に示されているように、無線フレーム６４にカプセル化を行う。アクセスポイント２１２１は、アクセスポイント２１２１と端末２０の間の送信エラーからフレームを保護するためにフレームを符号化する（端末２０は、対応するデコーダを実施して可能性のある送信エラーを訂正する）。アクセスポイント２１２１は、アクセスポイントと端末２０の間の無線送信プロトコルと互換性のあるタイム・スライシングも実施する。このプロトコルは、例えば、１ＥＥＥ８０２．１１型またはＨｉｐｅｒｌａｎ型ＩＩである。モデム２１２０およびアクセスポイント２１２１は、２つの個別の物理ユニット（例えば、構成部品または電子ボード）に実装される。実施形態の変形によると、モデム２１２０およびアクセスポイント２１２１は、単一の物理ユニット、例えば、ＡＤＳＬ住宅用ゲートウェイの形で実装される。本発明は、実際に、ＤＶＢ−Ｈによって端末用に提供される電力保存の可能性を保持することを可能にする。本発明による電力消費の削減は、パケットがアクセスポイント２１２１によって無線ローカルエリアネットワーク上を送信されるときに、タイム・スライシングを用いて実行される。バーストに前方エラー修正（またはＦＥＣ）データを追加することにより、得られる信頼性も向上する。
【手続補正５】
【補正対象書類名】明細書
【補正対象項目名】００４９
【補正方法】変更
【補正の内容】
【００４９】
これ以降で説明される方法のステップを実施するアルゴリズムは、これらのステップを実施する端末２０に関連付けられたメモリＲＯＭ２０５に保管されている。電源が入れられると、マイクロプロセッサ２００がこれらのアルゴリズムの命令をロードして実行する。
【手続補正６】
【補正対象書類名】明細書
【補正対象項目名】００８８
【補正方法】変更
【補正の内容】
【００８８】
次に、ステップ１１３７で、端末２０は、端末２０が自身宛てのユニキャストパケットも受信しているかを検査する。
【手続補正７】
【補正対象書類名】明細書
【補正対象項目名】００８９
【補正方法】変更
【補正の内容】
【００８９】
否定の場合、ステップ１０３１が繰り返される。
【手続補正８】
【補正対象書類名】明細書
【補正対象項目名】００９０
【補正方法】変更
【補正の内容】
【００９０】
肯定の場合、ステップ１０３７で、端末２０は、アクセスポイント３０２１に、端末２０が節電モードを終了したことを示すビットを含むＰＳ−ＰＯＬＬ型の制御フレームを送信するので、アクセスポイント３０２１は、対応するバッファメモリを空にして、端末へのフレームの送信を最大速度で再開することができる。
【手続補正９】
【補正対象書類名】図面
【補正対象項目名】図６
【補正方法】変更
【補正の内容】
【図６】
2009524310.tif 000001
【手続補正１０】
【補正対象書類名】図面
【補正対象項目名】図１２
【補正方法】変更
【補正の内容】
【図１２】
2009524310.tif 000002